(57)【要約】【課題】有隔膜電解槽の槽内の流路を切替える切替バルブをコンパクトに構成して、切替バルブを配設する場合の電解水生成装置の大型化を防止する。【解決手段】電解槽の各電解室と生成される各電解生成水を流出する各流出口の連通を、両電解室内の電極の極性切替へに応じて切替える切替バルブであり、電解槽内に軸回り方向へ回転可能に組込まれるバルブ本体２５を備え、バルブ本体２５は、中央の画壁にて区画されて左右の電解室の流出路に開口する各凹所２５ｂ１，２５ｂ２と、各凹所２５ｂ１，２５ｂ２に流入した各電解生成水を、互いに異なる一方の流出口に導びく各第１の導出流路および互いに異なる他方の流出口に導びく各第２の導出流路を備え、これら各導出流路の各流出口に対する連通状態を、バルブ本体２５の所定量の回転動作によって切替可能に構成した。【選択図】　　図３
2004033850.tif 000002
【特許請求の範囲】
【請求項１】
有隔膜電解槽の各電解室と各電解室で生成される各電解生成水を流出するための各流出口の連通を、前記両電解室内の電極の極性切替へに応じて切替える流路切替バルブであり、当該流路切替バルブは前記有隔膜電解槽内に軸回り方向へ回転可能に組込まれる円筒状のバルブ本体を備え、当該バルブ本体は、軸方向の中央にて画壁にて区画されて同隔壁を基準として左右に位置して前記各電解室の流出路に開口する一対の凹所を有するとともに、各凹所に流入した各電解生成水を、互いに異なる一方の流出口に導びく一対の第１の導出流路と、互いに異なる他方の流出口に導びく一対の第２の導出流路を有し、これら各導出流路の前記各流出口に対する連通状態が当該バルブ本体の所定量の回転動作によって切替可能に構成されていることを特徴とする電解槽内の流路切替バルブ。
【請求項２】
請求項１に記載の電解槽内の流路切替バルブにおいて、当該バルブ本体が有する各第１の導出流路は、前記各凹所に互いに偏倚して形成した周方向に所定幅の起立壁部に設けられて他方の凹所に連通する連通孔と同凹所にて形成され、かつ、当該バルブ本体が有する各第２の導出流路は、各凹所のみにて形成されていることを特徴とする電解槽内の流路切替バルブ。
【請求項３】
請求項１または２に記載の電解槽内の流路切替バルブにおいて、当該バルブ本体を回転動作させる駆動手段は、有隔膜電解槽の外側に取付けられて当該バルブ本体の支持軸に駆動力伝達可能に連結する電動モータであることを特徴とする電解槽内の流路切替バルブ。
【発明の詳細な説明】
【０００１】
【発明の属する技術分野】
本発明は、電解槽内の流路切替バルブに関する。
【０００２】
【従来の技術】
電解水生成装置の一形式として、例えば特開平１０−１５６３５９号公報に開示されているように、槽本体内をイオン透過可能な隔膜で区画して形成された一対の電解室を有する有隔膜電解槽を備える電解水生成装置がある。当該形式の電解水生成装置は、例えば希薄食塩水を被電解水とするもので、希薄食塩水である被電解水を電解槽の両電解室に供給して両電解室内で同時に電解し、陽極側の電解室内では酸性の電解水（電解生成酸性水）を生成し、かつ、陰極側の電解室内ではアルカル性の電解水（電解生成アルカリ性水）を生成する。生成された電解生成酸性水は、殺菌能を有することから殺菌用水として広く利用され、また、生成された電解生成アルカリ性水は、洗浄能を有することから洗浄用水として広く利用されている。
【０００３】
当該形式の電解水生成装置におては、その電解運転中、電解生成酸性水が生成される陽極側の電解室内では、その酸性に起因して、被電解水に混在している各種の金属イオン等が不溶性のスケールとなって漸次析出して電極や隔膜等に付着するおそれがある。スケールが電極や隔膜に付着すると、電解槽での電解効率が大きく低下することになる。当該形式の電解槽では、陽極側の電解室内でのスケールの電極および隔膜への付着に対処するため、電解運転中に、電解運転が所定時間経過する毎に、両電解室に配設されている各電極の極性を切替えて、陽極側の電解室を陰極側に変換するとともに陰極側の電解室を陽極側に変換し、陽極側であった電解室でのそれ以上のスケールの析出を防止するとともに、析出しているスケールを電解生成アルカリ性水に溶解して除去する電解運転方式が採られている。
【０００４】
当該電解運転方式を採る場合には、各電解室が陽極側および陰極側に交互に変換されると、各電解室内で生成される電解生成水も酸性水およびアルカリ性水に交互に変換される。しかしながら、この場合であっても、電解生成酸性水は常に専用の一方の流出口から流出させ、かつ、電解生成アルカリ性水は常に専用の他方の流出口から流出させるようにすることが要請される。かかる要請に対処するには、各電解室から各流出口へ電解生成水を導く両導出流路を、各電解室の陽極側および陰極側への交互の変換に応じて切替える必要があり、各導出流路をこのように切替るには、流路切替バルブの設置が不可欠である。図７には、当該流路切替バルブを備える従来の有隔膜電解槽を有する電解水生成装置を模式的に示している。
【０００５】
当該電解水生成装置は、有隔膜式の電解槽１０ａと、流路切替バルブ１０ｂ（以下単に切替バルブという）を備えている。電解槽１０ａは、イオン透過可能な隔膜１１を挟持する左右一対のセル１２ａ，１２ｂにて形成されているもので、隔膜１１にて区画された一対の各区画室は、その内部に各電極１３ａ１，１３ｂ１を配設されて第１，第２電解室１３ａ２，１３ｂ２に形成されている。各電極１３ａ１，１３ｂ１には、電解運転では、所定電圧の所定電流が印加されるが、電解運転が所定時間経過する毎に、各電極１３ａ１，１３ｂ１の極性が切替えられて、例えば、第１電解室１３ａ２が陽極側と陰極側に交互に変換され、かつ、第２電解室１３ｂ２が陰極側と陽極側に交互に変換される。各電解室１３ａ２，１３ｂ２には、被電解水の供給管路１４の分岐管路が接続されている。
【０００６】
切替バルブ１０ｂは、円筒状のハウジング１５内にゴム製のインペラ１６（バルブ本体）を備えるもので、インペラ１６はハイジング１５内で同心的に回転可能に支持されている。切替バルブ１０ｂのハウジング１５は、一対の流入口１５ａ１，１５ａ２と、一対の第１，第２流出口１５ｂ１，１５ｂ２を備えている。ハウジング１５の各流入口１５ａ１，１５ａ２には、各電解室１３ａ２，１３ｂ２の流出口に接続している各第２流入管路１７ａ１，１７ａ２が接続されており、また、各流出口１５ｂ１，１５ｂ２には、各流出管路１７ｂ１，１７ｂ２が接続されている。
【０００７】
当該切替バルブ１０ｂにおいては、各電極１３ａ１，１３ｂ１の極性の切替えに応じて、インペラ１６が実線状態の位置と２点鎖線状態の位置の間を交互に回転動作する。これにより、インペラ１６が実線状態の位置にある場合には、第１電解室１３ａ２を第１流入管路１７ａ１を介して第１流出管路１７ｂ１に連通させるとともに、第２電解室１３ｂ２を第２流入管路１７ａ２を介して第２流出管路１７ｂ２に連通させる。また、当該切替バルブ１０ｂが切替動作して、インペラ１６が２点鎖線状態に位置した場合には、第１電解室１３ａ２を第１流入管路１７ａ１を介して第２流出管路１７ｂ２に連通させるとともに、第２電解室１３ｂ２を第２流入管路１７ａ２を介して第１流出管路１７ｂ１に連通させる。
【０００８】
これにより、当該切替バルブ１０ｂは、各電解室１３ａ２，１３ｂ２の陽極側および陰極側の交互の変換に関わらず、電解生成酸性水は、常に専用の第１流出管路１７ｂ１から流出させ、かつ、電解生成アルカリ性水は、常に専用の第２流出管路１７ｂ２から流出させる。
【０００９】
【発明が解決しようとする課題】
このように、当該電解水生成装置においては、切替バルブを備えていることから、各電解室の陽極側および陰極側の交互の極性変換にも関わらず、一方の専用の流出管路からは常に電解生成酸性水を流出させることができ、かつ、他方の専用の流出管路からは常に電解生成アルカリ性水を流出させることができる。
【００１０】
しかしながら、当該電解水生成装置においては、切替バルブは、電解槽とは独立して構成されていて電解槽とは別に配設されることから、切替バルブや、これに付随する各流入管路および各流出管路を配設するための専用のスペースを確保する必要がある。このため、当該電解水生成装置では、装置が必然的に大型化するとともに複雑な構成となる。また、ゴム製のインペラを不可欠の構成部材としている切替バルブでは、インペラが電解生成水に長時間曝されることから、インペラが早期に劣化して作動不良を引き起こす原因ともなる。
【００１１】
従って、本発明の目的は、これの問題に対処することにあり、これらの問題に対処するために、電解槽内にコンパクトに配設し得る切替バルブを提供しようとするものである。
【００１２】
【課題を解決するための手段】
本発明は、電解槽内の流路切替バルブに関するもので、本発明に係る流路切替バルブは、有隔膜電解槽の各電解室と各電解室で生成される各電解生成水を流出するための各流出口の連通を、前記両電解室内の電極の極性切替へに応じて切替える流路切替バルブである。
【００１３】
しかして、本発明に係る流路切替バルブにおいては、前記有隔膜電解槽内に軸回り方向へ回転可能に組込まれる円筒状のバルブ本体を備え、当該バルブ本体は、軸方向の中央にて画壁にて区画されて同隔壁の左右に位置して前記各電解室の流出路に開口する一対の凹所を有するとともに、各凹所に流入した各電解生成水を、互いに異なる一方の流出口に導びく一対の第１の導出流路と互いに異なる他方の流出口に導びく一対の第２の導出流路を有し、これらの各導出流路の前記各流出口に対する連通が当該バルブ本体の所定量の回転動作によって切替え可能に構成されていることを特徴とするものである。
【００１４】
本発明に係る流路切替バルブにおいて、当該バルブ本体が有する各第１の導出流路については、前記各凹所に互いに偏倚して形成した周方向に所定幅の起立壁部に設けられて他方の凹所に連通する連通孔と同凹所にて形成し、かつ、当該バルブ本体が有する各第２の導出流路につていは、各凹所のみにて形成するようにすることができる。
【００１５】
また、本発明に係る流路切替バルブにおいては、当該バルブ本体を回転動作させる駆動手段として電動モータを採用して、同電動モータを、有隔膜電解槽の外側に取付けて、当該バルブ本体の支持軸に駆動力伝達可能に連結させるようにすることができる。
【００１６】
【発明の作用・効果】
本発明に係る流路切替バルブにおいては、電解槽を構成する両セル内にて、各電解室と各流出口間に組込まれて構成されるもので、両セルをバルブハウジングとして共用し、かつ、両電解室に接続するための一対の流入管路、および、各電解生成水の供給管路に接続するための一対の流出管路を不要としている。このため、当該流路切替バルブはコンパクトな構成で電解槽内に組込むことができて、切替バルブを配設することに起因する電解水生成装置の大型化を大幅に抑制することができる。特に、電解水生成装置においては、切替バルブを配設するための大きな専用の配設スペースを確保することは全く不要である。
【００１７】
また、当該流路切替バルブにおいては、電解生成水に曝される弁本体を電解槽を構成するセルと同様、合成樹脂や金属等の電解生成水によっては劣化し難い材料で形成することができることから、切替バルブの早期の劣化を大幅に抑制することができる。
【００１８】
なお、当該バルブ本体は、耐腐食性の高い合成樹脂や金属等、電解生成水に長時間曝されても劣化し難い材料で形成することが好ましい。
【００１９】
【発明の実施の形態】
本発明は、電解槽内の流路切替バルブに関するものであり、図１には、本発明の一例に係る流路切替バルブのバルブ本体を組込んだ電解槽の外側正面を示している。図２は、当該電解槽を構成する一方のセルを取り外した状態の内側正面図であり、図２（ａ），（ｂ）の正面図は、流路切替バルブが互いに異なる動作状態にある場合の内側正面図である。また、図３（ａ），（ｂ）は、当該電解槽の図２（ａ）および図２（ｂ）における矢印Ａ−Ａ線方向に見た縦断面図である。また、図４（ａ），（ｂ）は、当該電解槽の図２（ａ），（ｂ）の矢印Ｂ−Ｂ線方向に見た縦断面図である。なお、当該電解槽は、縦置き、横置きのいずれの使用態様も採ることができるが、本実施形態では、図面の表示の便宜上、縦置き型のものとして説明する。
【００２０】
当該電解槽２０ａは、左右一対の合成樹脂製のセル２１ａ，２１ｂを互いに重合して連結することによって構成されているもので、両セル２１ａ，２１ｂにより挟持されて槽本体内を２つの区画室に区画しているイオン透過可能な隔膜２２と、各区画室に配設されて各区画室をそれぞれ第１，第２電解室２３ａ１，２３ｂ１に形成している一対の第１，第２電極２３ａ２，２３ｂ２を備えている。当該電解槽２０ａにおいては、各セル２１ａ，２１ｂの側部の下方の部位に被電解水の供給口２１ａ１，２１ｂ１を備えるとともに、各セル２１ａ，２１ｂの側部の上方の部位に電解生成水を流出させる第１，第２流出口２１ａ２，２１ｂ２を備えている。切替バルブ２０ｂは、各電解室２３ａ１，２３ｂ１の上方の部位に、切替バルブ２０ｂを構成するバルブ本体が組込まれている。
【００２１】
当該電解槽２０ａにおいては、被電解水は供給管路２４を通して各電解室２３ａ１，２３ｂ１に供給され、供給された被電解水は各電解室２３ａ１，２３ｂ１内で有隔膜電解を受ける。当該電解では、陽極側の電解室では電解生成酸性水が生成され、また、陰極側の電解室では電解生成アルカリ性水が生成される。生成された電解生成酸性水は、切替バルブ２０ｂを通して専用の流出口（例えば第１流出口）２１ａ２）から外部へ流出される。また、生成された電解生成アルカリ性水は、切替バルブ２０ｂを通して専用の流出口（例えば第２流出口２１ｂ２）から外部へ流出される。
【００２２】
当該電解槽２０ａを備える電解水生成装置の電解運転では、電解運転中、電解運転が所定時間経過する毎に、各電極２３ａ２，２３ｂ２の極性を切替えて、各電解室２３ａ１，２３ｂ１の極性状態を陽極側および陰極側に交互に変換し、これに応じて切替バルブ２０ｂを切替動作させて、各電解室２３ａ１，２３ｂ１から各流出口２１ａ２，２１ｂ２に至る導出流路を切替える。
【００２３】
これにより、陽極側から陰極側に変換された第１電解室２３ａ１では、生成される電解生成水が電解生成酸性水から電解生成アルカリ性水に変換され、生成される電解生成アルカリ性水は、その専用の流出口である第２流出口２１ｂ２を経て外部に流出される。また、陰極側から陽極側に変換された第２電解室２３ｂ１では、生成される電解生成水が電解生成アルカリ性水から電解生成酸性水に変換され、生成される電解生成酸性水は、その専用の流出口である第１流出口２１ａ２を経て外部に流出されることになる。
【００２４】
しかして、切替バルブ２０ｂは、図５に示すバルブ本体２５と、バルブ本体２５を収容する両セル２１ａ，２１ｂが構成するハウジングと、一方のセル２１ａの外側面に取付けられている電動モータ２６とにより構成されている。バルブ本体２５は、両セル２１ａ，２１ｂと同様に合成樹脂を原料とする成形体であって円筒状のものである。
【００２５】
バルブ本体２５は、図５および図６に示すように、所定長さの円筒状の筒状本体２５ａと、筒状本体２５ａの軸方向の中央部に位置して左右に円柱状の第１，第２凹所２５ｂ１、２５ｂ２を形成している区画壁２５ｃと、各凹所２５ｂ１，２５ｂ２の底部から筒状本体２５ａの左右の各第１，第２外壁２５ａ１，２５ａ２に至る扇形状の第１，第２起立壁２５ｄ１，２５ｄ２と、区画壁２５ｃの中央部を貫通して筒状本体２５ａの各外壁２５ａ１，２５ａ２に至る角筒状の支持軸２５ｅにて構成されている。
【００２６】
バルブ本体２５においては、筒状本体２５ａの周壁２５ａ３に、周回りの略１／３に達する一対の第１，第２開口部２５ａ４，２５ａ５が形成されている。各開口部２５ａ４，２５ａ５は、各第１，第２凹所２５ｂ１，２５ｂ２の下向きに開口する開口部を構成しており、以下では、当該開口部２５ａ４，２５ａ５を、各凹所２５ｂ１，２５ｂ２の開口部と称する。各凹所２５ｂ１，２５ｂ２に形成されている扇形状の第１，第２起立壁２５ｄ１，２５ｄ２においては、第１起立壁２５ｄ１は第１凹所２５ｂ１の第１開口部２５ａ４間の周方向の略中央部に位置し、第２起立壁２５ｄ２は第１起立壁２５ｄ２に対して周方向へ略９０度偏倚して位置している。
【００２７】
バルブ本体２５においては、各起立壁２５ｄ１，２５ｄ２の略中央部に第１貫通孔２５ｆ１，２５ｆ２が形成されているとともに、各外壁２５ａ１，２５ａ２に第２貫通孔２５ｇ１，２５ｇ２が形成されている。各第１貫通孔２５ｆ１，２５ｆ２は、互いに並列した状態にあって、一方の第１貫通孔２５ｆ１は第２凹所２５ｂ２に開口するとともに、一方のセル２１ａに設けてある第１流出口２１ａ２に対向し得る位置に開口し、他方の第１貫通孔２５ｆ２は第１凹所２５ｂ１に開口するとともに、他方のセル２１ｂに設けてある第２流出口２１ｂ２に対向し得る位置に開口している。セル２１ａに設けてある第１流出口２１ａ２と、セル２１ｂに設けてある第２流出口２１ｂ２との位置関係は、各第１貫通孔２５ｆ１，２５ｆ２間の位置関係、および、各第２貫通孔２５ｇ１，２５ｇ２間の位置関係と同様の関係になっている。
【００２８】
バルブ本体２５は、両セル２１ａ，２１ｂが形成する上方の収容室Ｒに収容されて、両セル２１ａ，２１ｂに支持軸２５ｅを介して回転可能に支持されている。支持軸２５ｅは、この状態で、一方の軸部が一方のセル２１ａを貫通していて、同セル２１ａの外側面に取付けらている電動モータ２６の出力軸に動力伝達可能に連結している。バルブ本体２５は、電動モータ２６の所定量の正逆回転により、略９０度正逆回転するようになっている。
【００２９】
バルブ本体２５は、この組込み状態においては、図２（ａ），図３（ａ）および図４（ａ）に示す状態にあり、切替バルブ２０ｂの切替操作によって、バルブ本体２５が周方向へ略９０度回転動作して、図２（ｂ），図３（ｂ）および図４（ｂ）に示す状態となる。また、次の切替バルブ２０ｂの切替操作によっては、バルブ本体２５は周方向へ略９０度逆回転動作して、図２（ａ），図３（ａ）および図４（ａ）に示す状態に復帰する。
【００３０】
当該切替バルブ２０ｂのバルブ本体２５を組込んで形成されている電解槽２０ａを有する電解水生成装置においては、すでに詳述しているように電解運転されて、電解運転が所定時間経過する毎に各電解室２３ａ１，２３ｂ１内の各電極２３ａ２，２３ｂ２の極性を切替えて反転させ、第１電解室２３ａ１を陽極側、陰極側、陽極側等に順次極性変換し、同時に、第２電解室２３ｂ１を陰極側、陽極側、陰極側等に順位極性変換する手段が採られる。切替バルブ２０ｂは、これらの電解室２３ａ１，２３ｂ１の極性変換に応じて切替動作して、電解槽２０ａ内の各電解生成水の流路を切替える。これにより、電解室２３ａ１，２３ｂ１の極性の変換に関わらず、例えば、電解生成酸性水の専用の流出口２１ａ２からは常に電解生成酸性水を流出させることができ、また、電解生成アルカリ性水の専用の流出口２１ｂ２からは常に電解生成アルカリ性水を流出させることができる。
【００３１】
図２〜図４には、当該切替バルブ２０ｂの切替動作による電解槽２０ａ内の流路の切替状態を示している。当該電解槽２０ａにおいては、第１流出口２１ａ２を電解生成酸性水の専用の流出口に設定し、第２流出口２１ｂ２を電解生成アルカリ性水の専用の流出口に設定している。また、電解槽２０ａにおいては、図３（ａ）および図４（ａ）に示す状態は、第１電解室２３ａ１が陰極側、第２電解室２３ｂ１が陽極側にある状態を示し、かつ、図３（ｂ）および図４（ｂ）に示す状態は、第１電解室２３ａ１が陽極側、第２電解室２３ｂ１が陰極側にある状態を示している。
【００３２】
当該電解槽２０ａにおいて、第１電解室２３ａ１が陰極側、第２電解室２３ｂ１が陽極側にある場合には、第１電解室２３ａ１では電解生成アルカリ性水が生成され、かつ、第２電解室２３ｂ１では電解生成酸性水が生成される。また、第１電解室２３ａ１が陽極側、第２電解室２３ｂ１が陰極側に変換された場合には、第１電解室２３ａ１では電解生成酸性水が生成され、かつ、第２電解室２３ｂ１では電解生成アルカリ性水が生成される。
【００３３】
先ず、電解運転中に生成される電解生成酸性水に着目すると、図３（ａ）に示す状態の電解槽２０ａにおいては、電解生成酸性水は陽極側である第２電解室２３ｂ１内で生成される。第２電解室２３ｂ１内で生成された電解生成酸性水は、切替バルブ２０ｂにおけるバルブ本体２５の第２開口部２５ａ５から第２凹所２５ｂ２に流入し、第１起立壁２５ｄ１の第１貫通孔２５ｆ１を通って第１流出口２１ａ２から流出する。一方、両電解室２３ａ１，２３ｂ１の極性が反転した場合に、電解生成酸性水は、陽極側である第１電解室２３ａ１内で生成される。第１電解室２３ａ１内で生成された電解生成酸性水は、図３（ｂ）に示すように、切替バルブ２０ｂにおけるバルブ本体２５の第１開口部２５ａ４から第１凹所２５ｂ１に流入し、第２貫通孔２５ｇ１を通って第１流出口２１ａ２から流出する。
【００３４】
次ぎに、電解運転中の電解生成アルカリ性水に着目すると、図４（ａ）に示す状態の電解槽２０ａにおいては、電解生成アルカリ性水は陰極側である第１電解室２３ａ１内で生成される。第１電解室２３ａ１内で生成された電解生成アルカリ性水は、切替バルブ２０ｂにおけるバルブ本体２５の第１開口部２５ａ４から第１凹所２５ｂ１に流入し、第２起立壁２５ｄ２の第１貫通孔２５ｆ２を通って第２流出口２１ｂ２から流出される。一方、両電解室２３ａ１，２３ｂ１の極性が反転した場合に、電解生成アルカリ性水は、陰極側である第２電解室２３ｂ１内で生成される。第２電解室２３ｂ１内で生成された電解生成アリカリ性水は、図４（ｂ）に示すように、切替バルブ２０ｂにおけるバルブ本体２５の第２開口部２５ａ５から第２凹所２５ｂ２に流入し、第２貫通孔２５ｇ２を通って第２流出口２１ｂ２から流出される。
【００３５】
このように、当該切替バルブ２０ｂにおいては、バルブ本体２５が電解槽２０ａ内に組込まれて形成されるものであって、電解槽２０ａ内の流路を良好に切替動作する有用な切替バルブである。当該切替バルブ２０ｂは、下記に示す優れた作用効果を奏するものである。
【００３６】
すなわち、当該切替バルブ２０ｂにおいては、そのバルブ本体２５を、電解槽２０ａを構成する両セル２１ａ，２１ｂ内に収容されて構成されるものであって、両セル２１ａ，２１ｂをバルブハウジングとして共用している。また、当該切替バルブ２０ｂは、両電解室２３ａ１，２３ｂ１に接続するための一対の流入管路や、各電解生成水を流出するための一対の流出管路を不要としている。このため、当該切替バルブ２０ｂは、コンパクトな構成で電解槽２０ａ内に組込むことができて、切替バルブを配設することに起因する電解水生成装置の大型化を大幅に抑制することができる。特に、当該切替バルブ２０ｂを採用する電解水生成装置においては、切替バルブや、流入管路および流出管路を配設するための大きな専用の配設スペースを確保することは全く不要である。
【００３７】
また、当該切替バルブ２０ｂにおいては、電解生成水に曝されるバルブ本体２５を、電解槽２０ａを構成する両セル２１ａ，２１ｂと同様に、合成樹脂や金属等の電解生成水によっては劣化し難い材料で形成することができることから、切替バルブ２０ｂの早期の劣化を抑制することができる。
【図面の簡単な説明】
【図１】本発明に係る流路切替バルブを組込んで形成した電解槽の一側からみた正面図である。
【図２】同電解槽を構成する左右のセルの一側のセルを取外して他側のセルを内面側からみた正面図であって、同図（ａ）は同流路切替バルブが第１の切替動作状態における正面図、同図（ｂ）は同流路切替バルブが切替動作した第２の切替動作状態における正面図である。
【図３】同電解槽を図２（ａ）の矢印Ａ−Ａ線方向にみた縦断側面図（ａ）、および、図２（ｂ）の矢印Ａ−Ａ線方向にみた縦断側面図（ｂ）である。
【図４】同電解槽を図２（ａ）の矢印Ｂ−Ｂ線方向にみた縦断側面図（ａ）、および、図２（ｂ）の矢印Ｂ−Ｂ線方向にみた縦断側面図（ｂ）である。
【図５】同流路切替バルブを構成するバルブ本体の斜視図である。
【図６】同バルブ本体の他側の外側壁を除去した状態の同外側壁側からみた斜視図（ａ）、および、一側の外側壁を除去した状態の同外側壁側からみた斜視図（ａ）である。
【図７】従来の有隔膜電解槽を有する電解水生成装置の概略的構成図である。
【符号の説明】
１０ａ…電解槽、１０ｂ…切替バルブ、１１…隔膜、１２ａ，１２ｂ…セル、１３ａ１，１３ｂ１…電極、１３ａ２，１３ｂ２…第１，第２電解室、１４…供給管路、１５…ハウジング、１５ａ１，１５ａ２…第１，第２流入口、１５ｂ１，１５ｂ２…第１，第２流出口、１６…インペラ、１７ａ１、１７ａ２…第１，第２流入管路、１７ｂ１，１７ｂ２…第１，第２流出管路、２０ａ…電解槽、２０ｂ…切替バルブ、２１ａ，２１ｂ…セル、２１ａ１，２１ｂ１…供給口、２１ａ２，２１ｂ２…流出口、２２…隔膜、２３ａ１，２３ｂ１…第１，第２電解室、２３ａ２，２３ｂ２…第１，第２電極、２４…供給管路、２５…バルブ本体、２５ａ…筒状本体、２５ａ１，２５ａ２…第１，第２外側壁、２５ａ３…周壁、２５ａ４，２５ａ５…第１，第２開口部、２５ｂ１，２５ｂ２…第１，第２円柱状凹所、２５ｃ…区画壁、２５ｄ１，２５ｄ２…第１，第２起立壁、２５ｅ…支持軸、２５ｆ１，２５ｆ２…第１貫通孔、２５ｇ１，２５ｇ２…第２貫通孔、２６…電動モータ。
【図１】
2004033850.tif 000003
【図２】
2004033850.tif 000004
【図３】
2004033850.tif 000005
【図４】
2004033850.tif 000006
【図５】
2004033850.tif 000007
【図６】
2004033850.tif 000008
【図７】
2004033850.tif 000009